(57)【要約】【課題】分岐コネクタ内に配置する電子部品を基板に実装せずに回路中に設け、実装工程や電子部品を実装するための基板を不要とする。【解決手段】導電性金属板を打ち抜いてバスバーを設け、バスバーは幹線側と接続される第１長尺部と複数の支線側の導体と接続される第２長尺部とを並設していると共に、これら第１、第２長尺部の間を間隔をあけて切断用連結部で連結し、第２長尺部に長さ方向に間隔をあけて第１長尺部と反対方向へ端子部を突出させると共に、支線側と接続される各端子部の側部に圧接端子部を立設させ、かつ、各圧接端子部と対向位置の第１長尺部に圧接端子部を立設し、第１、第２長尺部の対向する圧接端子部に電子部品の両端のリード線を圧接接続して、第１長尺部と各支線側と接続される端子部とを電子部品を介在させて接続しておき、バスバーをコネクタハウジング内に収容固定した後に切断用連結部を切断除去している。【選択図】図４
2008066158.tif 000002
【特許請求の範囲】
【請求項１】
幹線から複数の支線を分岐接続する位置に設ける分岐コネクタの製造方法であって、
導電性金属板を打ち抜いてバスバーを設け、
前記バスバーは幹線側の導体と接続させる第１長尺部と前記複数の支線側の導体と接続させる第２長尺部とを並設していると共に、これら第１、第２長尺部の間を間隔をあけて切断用連結部で連結し、
前記第２長尺部に長さ方向に間隔をあけて前記第１長尺部と反対方向へ支線接続用の端子部を突出させると共に、各支線接続用の端子部の側部に圧接端子部を立設させ、かつ、各圧接端子部と対向位置の第１長尺部に圧接端子部を立設し、
前記第１、第２長尺部の対向する圧接端子部に電子部品の両端のリード線を圧接接続して、前記幹線側と接続する第１長尺部と各支線側と接続する端子部とを前記電子部品を介在させて接続しておき、
前記バスバーをコネクタハウジング内に収容固定した後に、前記切断用連結部を切断除去すると共に、前記第２長尺部の前記各支線側に接続される端子部と圧接端子部とを１組の支線接続用回路材として、隣接する各組の支線接続用回路材の間の連結部も切断除去していることを特徴とする分岐コネクタの製造方法。
【請求項２】
通信回路となる幹線と複数の支線との分岐位置に設ける分岐コネクタにおいて、
コネクタハウジング内に、
幹線側と導通される第１長尺部と、該第１長尺部の長さ方向に間隔をあけて設けた圧接端子部とを備えたバスバーからなる幹線接続用の回路材と、
前記圧接端子部と対向位置に配置された圧接端子部と、各圧接端子部の側部に連続して設けた支線接続用の端子部とを備えたバスバーからなる支線接続用の回路材と、
前記幹線接続用の回路材と前記支線接続用の回路材の圧接端子部との間に、両端のリード線を圧接接続させて介在させた電子部品と、
を備えていることを特徴とする分岐コネクタ。
【請求項３】
前記支線接続用の回路材には前記圧接端子部を２個並列に設けていると共に、これら２個の圧接端子部と対向させて前記幹線接続用の回路材に２個の圧接端子部を設け、
前記一方の対向する圧接端子部の間に前記電子部品として抵抗器を前記リード線を介して圧接接続していると共に、他方の対向する圧接端子部の間に前記電子部品としてコイルを前記リード線を介して圧接接続している請求項２に記載の分岐コネクタ。
【請求項４】
前記幹線および複数の支線の電線は差動伝送線路を構成するツイストペア電線あるいはシールドツイストペア電線等のペア電線からなり、
前記コネクタハウジング内に上下２段に前記幹線接続用の回路材と支線接続用の回路材とを収容しており、
前記ペア電線の第１通信線と第２通信線のいずれか一方は上段側、他方は下段側の回路材と接続され、支線側のペア電線は前記抵抗器およびコイルから構成されるフィルタ回路を介して幹線側のペア電線と接続されている請求項３に記載の分岐コネクタ。
【請求項５】
請求項１に記載の方法によって製造されて、前記幹線接続用の回路材と支線接続用の回路材とは１枚のバスバーを切断分離して設けているものである請求項２乃至請求項４のいずれか１項に記載の分岐コネクタ。
【発明の詳細な説明】
【技術分野】
【０００１】
本発明は、分岐コネクタおよび分岐コネクタの製造方法に関し、詳しくは、自動車内に配索されるＬＡＮ中に介設され、通信回路の分岐接続部で発生する信号の反射を減衰する機能をコネクタ内に設けたものである。
【背景技術】
【０００２】
従来、自動車に配索される電線同士の接続にはコネクタが多く用いられており、特開２００６−４８５２号公報（特許文献１）では、電子部品を内蔵したコネクタが提供されている。
特許文献１で提供されたコネクタ１は、図７に示すように、アッパーケース２とロアケース３からなるハウジング４内に複数の電子部品５を実装したプリント基板６を収容して、該プリント基板６に接続した端子７を外部電線（図示せず）の端末の端子と接続している。
【０００３】
特許文献１で提供されているコネクタ１は電子部品５を実装したプリント基板６を内蔵しているため、コネクタに様々な機能を持たせることができ、通信回路の分岐点に抵抗器やコイルの電子部品を実装すると、分岐点における信号の反射を減衰することができる。
しかしながら、電子部品５を実装したプリント基板６をコネクタハウジング内に収容したコネクタ１とする場合、その製造工程において煩雑な実装工程が必要となると共に、多数の部品が必要となるためコスト高になり、かつ、コネクタが大型化する問題がある。
【０００４】
【特許文献１】特開２００６−４８５２号公報
【発明の開示】
【発明が解決しようとする課題】
【０００５】
本発明は前記問題に鑑みてなされたものであり、分岐コネクタ内に配置する電子部品を基板に実装することなく回路中に設け、実装工程や電子部品を実装するための基板を不要とすることを課題としている。
【課題を解決するための手段】
【０００６】
前記課題を解決するため、第１の発明として、幹線から複数の支線を分岐接続する位置に設ける分岐コネクタの製造方法であって、
導電性金属板を打ち抜いてバスバーを設け、
前記バスバーは幹線側の導体と接続させる第１長尺部と前記複数の支線側の導体と接続させる第２長尺部とを並設していると共に、これら第１、第２長尺部の間を間隔をあけて切断用連結部で連結し、
前記第２長尺部に長さ方向に間隔をあけて前記第１長尺部と反対方向へ支線接続用の端子部を突出させると共に、各支線接続用の端子部の側部に圧接端子部を立設させ、かつ、各圧接端子部と対向位置の第１長尺部に圧接端子部を立設し、
前記第１、第２長尺部の対向する圧接端子部に電子部品の両端のリード線を圧接接続して、前記幹線側と接続する第１長尺部と各支線側と接続する端子部とを前記電子部品を介在させて接続しておき、
前記バスバーをコネクタハウジング内に収容固定した後に、前記切断用連結部を切断除去すると共に、前記第２長尺部の前記各支線側に接続される端子部と圧接端子部とを１組の支線接続用回路材として、隣接する各組の支線接続用回路材の間の連結部も切断除去していることを特徴とする分岐コネクタの製造方法を提供している。
【０００７】
前記第１長尺部と第２長尺部とを連結する切断用連結部を、第２長尺部の各組の支線接続用回路材の間の切断除去される連結部とを連続させて設けておくと、切断箇所が連続した箇所となるため、切断除去作業が容易となる。しかしながら、これら切断除去される連結部は必ずしも連続させて設ける必要はない。
【０００８】
本発明の分岐コネクタの製造方法によれば、コネクタハウジング内に電子部品を実装したプリント基板を収容して幹線接続回路から分岐する支線接続回路を接続しているのではなく、幹線接続用の端子材と接続させた第１長尺部と各支線接続用の端子部との間に電子部品を圧接接続により介在させている。
このように、バスバーの第１長尺部と端子部との間に電子部品を圧接接続により介設しているため、抵抗を基板に実装する煩雑な工程が不要となる。また、抵抗を実装した基板を用いないため、抵抗を基板に実装する場合に発生する高温化による電子部品への悪影響もない。
【０００９】
また、前記第１、第２長尺部、端子部、圧接端子部を切断用連結部を介して１枚の導電性金属板を打ち抜いて設けたバスバーより形成しているため、前記切断用連結部を切断して所要の回路形状としているため、分岐コネクタ内に収容する幹線側回路と支線側回路とを分岐させた内部回路材を容易に形成することができる。
なお、前記幹線および支線の導体としては、電線や基板上の導体が挙げられる。
【００１０】
また、第２の発明として、通信回路となる幹線と複数の支線との分岐位置に設ける分岐コネクタにおいて、
コネクタハウジング内に、
幹線側と導通される第１長尺部と、該第１長尺部の長さ方向に間隔をあけて設けた圧接端子部とを備えたバスバーからなる幹線接続用の回路材と、
前記圧接端子部と対向位置に配置された圧接端子部と、各圧接端子部の側部に連続して設けた支線接続用の端子部とを備えたバスバーからなる支線接続用の回路材と、
前記幹線接続用の回路材と前記支線接続用の回路材の圧接端子部との間に、両端のリード線を圧接接続させて介在させた電子部品と、
を備えていることを特徴とする分岐コネクタを提供している。
【００１１】
本発明の分岐コネクタによれば、電子部品を実装した基板が不要となるため、分岐コネクタを小型化できると共に低コスト化を図ることができる。
【００１２】
前記分岐接続する幹線および支線が通信線の場合には、前記支線接続用の回路材には前記圧接端子部を２個並列に設けていると共に、これら２個の圧接端子部と対向させて前記幹線接続用の回路材に２個の圧接端子部を設け、
前記一方の対向する圧接端子部の間に前記電子部品として抵抗器を前記リード線を介して圧接接続していると共に、他方の対向する圧接端子部の間に前記電子部品としてコイルを前記リード線を介して圧接接続していることが好ましい。
【００１３】
また、前記幹線および複数の支線の電線が差動伝送線路を構成するツイストペア電線あるいはシールドツイストペア電線等のペア電線からなる場合には、
前記コネクタハウジング内に上下２段に前記幹線接続用の回路材と支線接続用の回路材とを収容しており、
前記ペア電線の第１通信線と第２通信線のいずれか一方は上段側、他方は下段側の回路材と接続され、支線側のペア電線は前記抵抗器およびコイルから構成されるフィルタ回路を介して幹線側のペア電線と接続されていることが好ましい。
【００１４】
前記構成によれば、通信回路の幹線から支線が分岐する分岐部近傍の支線側に前記抵抗器とコイルの並列回路からなるフィルタ回路を容易に形成することができ、該フィルタ回路により分岐部で生じる信号の反射を早期に減衰させることができる。
【００１５】
前記抵抗器の抵抗値を通信回路の幹線のインピーダンス（Ｚｏ）の６％〜５０％、好ましくは１０％〜２２％とすることが好ましい。
前記６％以上であれば抵抗器をフィルタ回路として機能させて、通信回路の分岐部における信号の反射を減衰させることができる。一方、５０％を越えると受信側の電圧低下を招き通信エラーとなる。
【００１６】
前記分岐コネクタは、第１の発明は前記方法によって製造され、前記幹線接続用の回路材と支線接続用の回路材とは１枚のバスバーを切断分離して設けていることが好ましい。
【発明の効果】
【００１７】
前述したように、本発明によれば、幹線側と接続される第１長尺部と各支線接続用の端子部との間に圧接接続により電子部品を介設しているため、電子部品を基板に実装する工程が不要となると共に抵抗材を実装した基板が不要となり、分岐コネクタを小型化できると共に低コスト化を図ることができる。
さらに、通信回路の幹線から支線の接続分岐位置に抵抗器およびコイルからなるフィルタ回路を容易に設けることができ、該フィルタ回路により分岐部で生じる信号の反射を早期に減衰させることができる。
【００１８】
また、本発明の分岐コネクタの製造方法によれば、幹線と支線とを分岐させる共に電子部品を介在させる内部回路材を、１枚の導電性金属板を打ち抜いて設けたバスバーより形成しているため、分岐コネクタの内部回路材を容易に形成することができる。
【発明を実施するための最良の形態】
【００１９】
以下、本発明の実施形態を図面を参照して説明する。
図１乃至図６は、本発明の実施形態を示し、分岐コネクタ１０は、ＣＡＮ通信（差動伝送方式）を行う車載ＬＡＮ１００において、幹線１０１から支線１０２が分岐する分岐部１０３を形成するものである。
【００２０】
分岐コネクタ１０は、図５に示すように、コネクタハウジング１１の一側に幹線接続用の回路材２１と支線接続用の回路材２２からなるバスバー２０を収容する上下２段のバスバー収容部１２を備えると共に、他側にコネクタ嵌合部１６を備えている。前記バスバー収容部１２に収容した幹線接続用の回路材２１と支線接続用の回路材２２にそれぞれ設けた圧接端子部２０ｆ、２０ｅに抵抗器３０とコイル３１を並列に圧接接続して、幹線接続用の回路材２１と支線接続用の回路材２２との間にフィルタ回路３２を形成している。
【００２１】
分岐コネクタ１０のコネクタハウジング１１は、図２及び図５に示すように、前記のように、一側にバスバー収容部１２を上下２段で設けると共に、他側にコネクタ嵌合部１６を設け、該コネクタ嵌合部１６と各バスバー収容部１２とを連通させている。
また、上段のバスバー収容部１２の上方に切断治具挿入用の開口１３を設ける一方、下段のバスバー収容部１２の下方に切断治具挿入用の開口１３を設け、これら開口１３を閉鎖するカバー１４を設けている。
さらに、コネクタ嵌合部１６には、コネクタ嵌合部１６に嵌合するコネクタ４０を係止するための係止突起１６ａをコネクタハウジング１１の内面より突出させて設けている。
【００２２】
前記コネクタハウジング１１のバスバー収容部１２に挿入係止するバスバー２０は、１枚の導電性金属板を所要形状に打ち抜いて形成している。
詳細には、図３に示すように、バスバー２０は第１長尺部２０ａと第２長尺部２０ｂとを並設していると共に、これら第１、第２長尺部２０ａ、２０ｂの間を間隔をあけて切断用連結部２０ｃで連結している。第２長尺部２０ｂには、長さ方向に間隔をあけて第１長尺部２０ａと反対方向へ端子部２０ｄを突出させると共に、各端子部２０ｄの側部に一対の圧接タブからなる圧接端子部２０ｅをそれぞれ２組ずつ立設させて設け、かつ、各圧接端子部２０ｅと対向位置の第１長尺部２０ａに圧接端子部２０ｆを立設している。
【００２３】
前記バスバー２０の端子部２０ｄのうち、支線側と接続する端子部２０ｄ−２の側部に設けた圧接端子部２０ｅと圧接端子部２０ｆには、抵抗値１０Ωの抵抗器３０とコイル３１の両端のリード線３０ａ、３１ａを圧接接続しており、第１長尺部２０ａと第２長尺部２０ｂの端子部２０ｄ−２との間に抵抗器３０とコイル３１を並列接続で介設している。また、前記バスバー２０の端子部２０ｄのうち、幹線側と接続する端子部２０ｄ−１の側部に設けた圧接端子部２０ｅと圧接端子部２０ｆには抵抗器３０とコイル３１を圧接接続していない。
【００２４】
さらに、図４に示すように、前記切断用連結部２０ｃのうち、支線側と接続する端子部２０ｄ−２に対してバスバー２０の長さ方向の両側に設けた切断用連結部２０ｃを切断除去し、端子部２０ｄ−２と圧接端子部２０ｅからなる支線接続用の回路材２２を第１長尺部２０ａ側の幹線接続用の回路材２１から分離し、端子部２０ｄ−２と第１長尺部２０ａとは抵抗器３０とコイル３１の並列回路からなるフィルタ回路を介して接続している。また、隣接する各支線接続用の回路材２２は切断用連結部２０ｃを切断除去することにより分離している。
なお、図３及び図４では、幹線側と接続する端子部２０ｄ−１を１個、支線側と接続する端子部２０ｄ−２を２個図示しているが、本実施形態では１つのバスバー２０に２個の端子部２０ｄ−１と６個の端子部２０ｄ−２を設けている。
【００２５】
前記コネクタハウジング１１のコネクタ嵌合部１６に嵌合するコネクタ４０のコネクタハウジング４１には、図５及び図６に示すように、上下２つの端子収容室４２を並設しており、該コネクタ４０は差動伝送線路を構成するのツイストペア電線端末に接続されるものである。
【００２６】
幹線１０１に接続されるコネクタ４０Ａには、上方の端子収容室４２にツイストペア電線の第１通信線１０１Ａ（ＣＡＮ＿Ｈ）の端末に接続した端子５３Ａが挿入係止されている一方、下方の端子収容室４２にツイストペア電線の第２通信線１０１Ｂ（ＣＡＮ＿Ｌ）の端末に接続した端子５３Ａが挿入係止されている。
同様に、支線１０２に接続されるコネクタ４０Ｂには、上方の端子収容室４２にツイストペア電線の第１通信線１０２Ａ（ＣＡＮ＿Ｈ）の端末に接続した端子５３Ｂが挿入係止されている一方、下方の端子収容室４２にツイストペア電線の第２通信線１０２Ｂ（ＣＡＮ＿Ｌ）の端末に接続した端子５３Ｂが挿入係止されている。
また、コネクタハウジング４１の挿入側先端から弾性片４３を折り返して設けており、該弾性片４３の外面に分岐コネクタ１０のコネクタ嵌合部１６に設けた係止突起１６ａに係止させる係止突起４４を設けている。
【００２７】
前記コネクタ４０を分岐コネクタ１０のコネクタ嵌合部１６に所要の複数個（本実施形態ではコネクタ４０Ａを２個、コネクタ４０Ｂを６個）挿入し、コネクタ４０の係止突起４４を分岐コネクタ１０の係止突起１６ａに係止させてコネクタ４０を分岐コネクタ１０のコネクタ嵌合部１６内に嵌合している。このとき、分岐コネクタ１０のバスバー２０の端子部２０ｄ−１、２０ｄ−２とコネクタ４０Ａ、４０Ｂの端子５３Ａ、５３Ｂがそれぞれ雌雄嵌合接続され、幹線１０１と支線１０２の第１通信線１０１Ａ、１０２Ａ同士、第２通信線１０１Ｂ、１０２Ｂ同士がバスバー２０の第１長尺部２０ａを介して接続されて分岐部が形成され、支線１０２の分岐接続側には抵抗器３０とコイル３１を並列接続したフィルタ回路が介在される。
【００２８】
次に、前記分岐コネクタ１０の製造方法について説明する。
まず、導電性金属板を打ち抜いて図３に示す前記バスバー２０を設け、支線側と接続する端子部２０ｄ−２の側部に設けた圧接端子部２０ｅと２０ｆに抵抗器３０とコイル３１を圧接接続し、端子部２０ｄ−２と第１長尺部２０ａとの間に抵抗器３０とコイル３１を並列接続したフィルタ回路を形成する。
次いで、前記バスバー２０をコネクタハウジング１１のバスバー収容部１２に挿入係止し、開口１３を通して切断治具（図示せず）により所要の切断用連結部２０ｃを切断除去する。
次いで、切断除去した切断用連結部２０ｃを開口１３を通してバスバー収容部１２から取り出し、開口１３にカバー１４を取り付けて開口１３を閉鎖する。
【００２９】
前記構成によれば、通信回路の幹線から分岐する支線回路上に抵抗器３０とコイル３１を並列接続したフィルタ回路を形成することができ、該フィルタ回路により分岐部で生じる信号の反射を早期に減衰させることができる。
また、前記抵抗器３０とコイル３１の両端のリード線３０ａ、３１ａにバスバー２０の圧接端子部２０ｅ、２１ｅをそれぞれ圧接接続しているため、抵抗器３０、コイル３１を基板に実装する煩雑な工程が不要となると共に基板をコネクタハウジング内に収容する必要もなくなり、分岐コネクタを小型化できると共に低コスト化を図ることができる。
また、電子部品を基板に実装しないため、実装工程における高温化による電子部品の悪影響もない。
【００３０】
さらに、前記第１、第２長尺部２０ａ、２０ｂ、端子部２０ｄ、圧接端子部２０ｅ、２０ｆおよび切断用連結部２０ｃを１枚の導電性金属板を打ち抜いて設けたバスバー２０より形成しているため、分岐コネクタの内部回路材を容易に形成することができる。
【００３１】
なお、本実施形態では、分岐コネクタ１０に差動伝送線路を構成するツイストペア電線を接続しているため、バスバー２０を２組設けているが、ペア電線以外の電線を接続する場合には、バスバーを１組あるいは３組以上設けてもよい。
また、分岐コネクタ１０に接続するペア電線はツイストペア電線に限らず、シールドツイストペア電線等であってもよい。
さらに、本実施形態ではコネクタハウジング１１に切断治具挿入用の開口１３を設けているが、コネクタハウジングを上面全面が開口の本体とカバーにより構成し、バスバー２０の切断用連結部２０ｃを切断した後、本体とカバーを結合して、バスバー２０をコネクタハウジング内に収容する構成としてもよい。
【図面の簡単な説明】
【００３２】
【図１】本発明の分岐コネクタにより形成した分岐部を示す概略図である。
【図２】コネクタハウジングの斜視図である。
【図３】切断用連結部を切断する前のバスバーを示す図面である。
【図４】切断用連結部を切断した後のバスバーを示す図面である。
【図５】分岐コネクタに支線端末に接続されたコネクタを嵌合した状態を示す断面図である。
【図６】分岐コネクタに幹線端末に接続されたコネクタを嵌合した状態を示す断面図である。
【図７】従来例を示す図面である。
【符号の説明】
【００３３】
１０  分岐コネクタ
１１  コネクタハウジング
１２  バスバー収容部
２０  バスバー
２０ａ  第１長尺部
２０ｂ  第２長尺部
２０ｃ  切断用連結部
２０ｄ−１  幹線側と接続される端子部
２０ｄ−２  支線側と接続される端子部
２０ｅ、２０ｆ  圧接端子部
２１  幹線接続用の回路材
２２  支線接続用の回路材
３０  抵抗器
３１  コイル
３２  フィルタ回路
４０  コネクタ
５３  端子
１００  車載ＬＡＮ
１０１Ａ  幹線の第１通信線
１０１Ｂ  幹線の第２通信線
１０２Ａ  支線の第１通信線
１０２Ｂ  支線の第２通信線
１０３  分岐部
【図１】
2008066158.tif 000003
【図２】
2008066158.tif 000004
【図３】
2008066158.tif 000005
【図４】
2008066158.tif 000006
【図５】
2008066158.tif 000007
【図６】
2008066158.tif 000008
【図７】
2008066158.tif 000009